(57)【要約】【課題】  手動操作で簡単に切削材料を彫刻できるようにする。【解決手段】  入力装置２のプラテン上で作業者がポインタをＸＹ平面に沿って移動させると、彫刻加工機１の工具もＸＹ平面に沿って移動する。ポインタがＺ軸方向に沿って下げられると彫刻加工機１の工具もＺ軸方向に沿って移動し切削材料に対して切削を行う。ポインタの移動軌跡を入力装置２のプラテン上及びＰＣ６の画面に表示することにより印鑑の切削状態を作業者に報知する。【選択図】  図２
2005059589.tif 000002
【特許請求の範囲】
【請求項１】
切削材料を切削する加工機と接続し、前記切削材料の切削位置の座標を示す第１の信号と切削の要否を示す第２の信号を入力する入力操作装置であって、
手動操作されるポインタのＸＹ座標軸上の位置を検出し、その検出結果を前記第１の信号として出力する第１の信号発生手段と、
前記ポインタのＺ軸上の操作を検出して前記第２の信号を発生して出力する第２の信号発生手段と
を備え、
前記第２の信号発生手段は、前記切削材料の切削完了状態のイメージを記載した部材に対して、前記ポインタが当接した場合に、切削要を示す第２の信号を発生し、前記ポインタが前記イメージを記載した部材に対して応接していない場合には、切削せずを示す第２の信号を発生する
ことを特徴とする入力操作装置。
【請求項２】
切削材料を切削する加工機と接続し、前記切削材料の切削位置の座標を示す第１の信号と切削の要否を示す第２の信号を入力する入力操作装置の入力操作方法であって、
前記入力操作装置は、第１の信号発生手段と、第２の信号発生手段とを備え、
前記第１の第１の信号発生手段により、手動操作されるポインタのＸＹ座標軸上の位置を検出し、その検出結果を前記第１の信号として出力し、
第２の信号発生手段により、前記ポインタのＺ軸上の操作を検出して前記第２の信号を発生して出力し、
前記第２の信号発生手段は、前記切削材料の切削完了状態のイメージを記載した部材に対して、前記ポインタが当接した場合に、切削要を示す第２の信号を発生し、前記ポインタが前記イメージを記載した部材に対して応接していない場合には、切削せずを示す第２の信号を発生する
ことを特徴とする入力操作装置の入力操作方法。
【請求項３】
請求項１に記載の入力操作装置および加工機を有し、前記切削材料は印鑑材料であることを特徴とする印鑑彫刻システム。
【請求項４】
請求項３に記載の印鑑彫刻システムにおいて、前記入力操作装置において発生される第１の信号および第２の信号を入力する入力手段と、
当該入力された第１の信号および第２の信号に基づいて前記加工機の切削状態を示すイメージを表示する表示手段と
をさらに備えたことを特徴とする印鑑彫刻システム。
【請求項５】
請求項２に記載の入力操作方法および請求項２に記載の入力操作装置および加工機を印鑑彫刻システムが有し、前記切削材料は印鑑材料であることを特徴とする印鑑彫刻システムの印鑑彫刻方法。
【請求項６】
請求項５に記載の印鑑彫刻システムにおいて、前記印鑑彫刻システムは入力手段と表示手段とを備え、
前記入力操作装置において発生される第１の信号および第２の信号を前記入力手段により入力し、
当該入力された第１の信号および第２の信号に基づいて前記加工機の切削状態を示すイメージを前記表示手段により表示する
ことを特徴とする印鑑彫刻システムの印鑑彫刻方法。
【発明の詳細な説明】
【技術分野】
【０００１】
本発明は、印鑑その他の凹凸模様のある微細な表面形状を切削加工によって創成する技術に関する。
【背景技術】
【０００２】
印鑑は、主に硬質材料を切削するによって微細な表面形状を創成し、作者の意図を忠実に反映して、製作されている。伝統的には手作業によって彫刻を施すことがされているが、工業的に、より安価に、迅速にかつ同じ品質のものを大量に加工しようとする場合は、自動化された数値制御工作機械を使用し、印章デザインから工具の軌跡を計算し、それを加工プログラムによって記述して、工作機械を自動運転させて加工することが広く行われている。
【０００３】
このような方法に関して、例えば以下の技術が開示されている。  
・特許文献１による印章製造システム
・特許文献２による印鑑の製造方法および印鑑
・特許文献３による印章の彫刻方法及び印章彫刻機
・特許文献４による印章作成方法及びその装置
・特許文献５による印章彫刻システム
・特許文献６による自動印章彫刻システム
・特許文献７による自動印鑑彫刻機の操作方法
【０００４】
【特許文献１】特開２００２−７２４号公報
【特許文献２】特開平１１−３２１０５８号公報
【特許文献３】特開平１１−１３９０９２号公報
【特許文献４】特開平０９−２３４８４８号公報
【特許文献５】特開平０８−３０９９５３号公報
【特許文献６】特開平０７−１２５１７１号公報
【特許文献７】特開平０６−１９９０２５号公報
【発明の開示】
【発明が解決しようとする課題】
【０００５】
以上の文献に例示された印鑑の自動加工方法では、自動加工機を使った加工工程そのものは効率的であるが、総じてシステムが複雑であり、加工の準備段階である加工プログラムの記述と検証に多大の労力と時間がかかる。特に、本来一個一個が異なる印章を持つべき印鑑を加工するには非効率的である。また、プログラムの記述と加工システムの操作に専門知識が要求される。また、同じ加工プログラムを用いることによって、簡単に複製ができてしまうという欠点を持つ。
【０００６】
また、印鑑の所有者はその制作に自分自身が関与することを希望していながら、従来の製造方法ではその関与の範囲が印章デザインの一部に限られており、加工そのものに関与することは極めて困難である。
【０００７】
工作機械による機械加工一般についても、製品の最終所有者は製品の加工工程に関与することは極めて困難であり、製品の所有に最大限の満足感を与えることはできない。
【０００８】
本発明は、専門知識を必要とせず、作者自身が簡便な方法で加工機の運動を制御し、制作意図が加工結果に直接反映される迅速かつ簡便で、かつただ１個の制作に適した入力操作装置および方法ならびにそれを使用する印鑑彫刻システムおよび方法を提供することにある。
【課題を解決するための手段】
【０００９】
このような目的を達成するために、請求項１の発明は、切削材料を切削する加工機と接続し、前記切削材料の切削位置の座標を示す第１の信号と切削の要否を示す第２の信号を入力する入力操作装置であって、手動操作されるポインタのＸＹ座標軸上の位置を検出し、その検出結果を前記第１の信号として出力する第１の信号発生手段と、前記ポインタのＺ軸上の操作を検出して前記第２の信号を発生して出力する第２の信号発生手段とを備え、前記第２の信号発生手段は、前記切削材料の切削完了状態のイメージを記載した部材に対して、前記ポインタが当接した場合に、切削要を示す第２の信号を発生し、前記ポインタが前記イメージを記載した部材に対して応接していない場合には、切削せずを示す第２の信号を発生することを特徴とする。
【００１０】
請求項２の発明は、切削材料を切削する加工機と接続し、前記切削材料の切削位置の座標を示す第１の信号と切削の要否を示す第２の信号を入力する入力操作装置の入力操作方法であって、前記入力操作装置は、第１の信号発生手段と、第２の信号発生手段とを備え、前記第１の第１の信号発生手段により、手動操作されるポインタのＸＹ座標軸上の位置を検出し、その検出結果を前記第１の信号として出力し、第２の信号発生手段により、前記ポインタのＺ軸上の操作を検出して前記第２の信号を発生して出力し、前記第２の信号発生手段は、前記切削材料の切削完了状態のイメージを記載した部材に対して、前記ポインタが当接した場合に、切削要を示す第２の信号を発生し、前記ポインタが前記イメージを記載した部材に対して応接していない場合には、切削せずを示す第２の信号を発生することを特徴とする。
【００１１】
請求項３の発明は、請求項１に記載の入力操作装置および加工機を有し、前記切削材料は印鑑材料であることを特徴とする。
【００１２】
請求項４の発明は、請求項３に記載の印鑑彫刻システムにおいて、前記入力操作装置において発生される第１の信号および第２の信号を入力する入力手段と、当該入力された第１の信号および第２の信号に基づいて前記加工機の切削状態を示すイメージを表示する表示手段とをさらに備えたことを特徴とする。
【００１３】
請求項５の発明は、請求項２に記載の入力操作方法および請求項２に記載の入力操作装置および加工機を印鑑彫刻システムが有し、前記切削材料は印鑑材料であることを特徴とする。
【００１４】
請求項６の発明は、請求項５に記載の印鑑彫刻システムにおいて、前記印鑑彫刻システムは入力手段と表示手段とを備え、前記入力操作装置において発生される第１の信号および第２の信号を前記入力手段により入力し、当該入力された第１の信号および第２の信号に基づいて前記加工機の切削状態を示すイメージを前記表示手段により表示することを特徴とする。
【発明の効果】
【００１５】
本発明によれば、作業者は切削材料の切削完了状態のイメージを記載した部材上でポインタを移動操作するだけで、切削材料に対して切削加工を行うことができる。このため、加工機の操作に熟練していない者でも、精度よく、加工を行うことができる。
【００１６】
また、表示手段により、現在の、切削加工状態を確認することができる。
【発明を実施するための最良の形態】
【００１７】
以下、図面を参照して本発明の実施形態を詳細に説明する。  
（第１の実施形態）
図１に第１の実施形態の印鑑彫刻システムのシステム構成を示す。
【００１８】
図１において、彫刻加工機１は、エンドミル工具を回転させる主軸と、その工具と被削材料との間に相対的な運動を発生させる機構を有する。
【００１９】
手動制御信号入力装置（本発明の入力操作装置）２は、その一部である後述のポインタを作業者が手動にて操作し、その動きを連続的かつ実時間的に検出し、検出した操作を電気信号（移動量検出信号４）の形態で出力する。
【００２０】
信号伝達制御装置３は、手動制御信号入力装置２から出力される移動量検出信号４を受け、ポインタの運動に対応した運動、たとえば、一定の割合で縮小した運動を彫刻加工機１にさせるように彫刻加工機１上の切削工具を３次元空間上で移動させるための駆動信号５を送り、彫刻加工機１を制御する。
【００２１】
パーソナルコンピュータ（ＰＣ）６は入力インターフェース（本発明の入力手段）を有し、該入力インターフェースを介して移動量検出信号４を入力し、入力した移動量検出信号４の示す移動量に基づいて、彫刻加工機１により彫刻される印鑑の形状を表示装置（本発明の表示手段）の表示画面上に-表示する（図７の１００１参照）。
【００２２】
次に各部の構造をより詳細に記述する。
【００２３】
図２に彫刻加工機１の構成の一例を示す。彫刻加工機１は従来から周知のものを使用することができる。被削材１０１は材料クランプ１０８によって把持され、直交する２つのステージ機構１０４および１０５の上に、端面が工具に向き合うように取り付けられる。エンドミル工具１０２は主軸１０３に把持され、回転する。主軸はZ軸ステージ機構１０６によって被削材１０１の方向への変位が与えられる。３つのステージ機構は、例えばステップモータまたはサーボモータで駆動されるねじ送り機構によって変位が与えられる。
【００２４】
工具と被削材に相対運動を発生させることが彫刻加工機の機能のひとつであるから、３つのステージ機構の配置は図２の例に限定されない。すなわち被削材側に全てのステージ機構が集中してもかまわないし、反対に主軸側に３つのステージ機構のうちいくつかが設けられてもかまわない。
【００２５】
図３は（手動制御信号）入力装置２の構成例を示す。X軸スライダ機構２０１はX軸案内２０２上を滑らかに滑る。X軸案内２０２はY軸スライド機構２０３に固定され、Y軸スライド機構２０３はY軸案内２０４上を滑らかに滑る。X軸スライド機構２０１にはポインタ保持機構２０５が取り付けられている。両軸のスライダ機構２０１および２０３の動きによって、ポインタ保持機構は平面上を自由に運動することができる。
【００２６】
X軸スライド機構２０１およびY軸スライド機構２０３の移動量はそれぞれの案内に取り付けられたX軸移動量検出装置２１２およびY軸移動量検出装置２１１によって検出され、パルス列信号または絶対化されたデジタル信号としての移動量検出信号を発生し、発生された移動量検出信号は信号伝達制御装置３およびＰＣ６へ送られる。移動量検出信号を発生するための移動量検出装置としては既存のリニアスケールまたはワイヤ伸張式リニアエンコーダなどが利用できる。
【００２７】
図３の例ではY軸スライダ機構２０３とY軸案内２０４は各２個使用しているが、これは安定した案内性能が確保されれば各１個の使用でも本質的な差は生じない。
【００２８】
図４は（手動制御信号）入力装置２の一部であるポインタ保持機構２０５の詳細例を示す。図３におけるX軸スライド機構２０１に固定される取付部位２１４にはヒンジ機構２０７を介してロッカーアーム２０６があり、その先端にはポインタ２１３が保持されている。
【００２９】
ポインタ２１３が押し下げられるとポインタ先端２１３ｂはプラテン２０９に接触して止まると同時に、接点スイッチ２０８が作動してポインタが押し下げられたことを検知する。作業者はポインタ把持部２１３aを手で持ってX軸とY軸を変位させるように平面的に運動させると同時に、ポインタを上下させることができる。接点スイッチ２０８は検知したポインタ２１３の上下動を二値化されたポインタ上下信号（Ｚ軸上の動きによるオンオフの信号）として信号伝達制御装置３へ送る。
【００３０】
実施形態１の従来と異なる新規特徴は、彫刻したい印鑑のデザインが記載されたプラテン２０９を使用する点にある。作業者はポインタ２１３を操作し、プラテン２０９に当接するようにポインタ２０９をＺ軸方向に移動させると、彫刻加工機１のエンドミル工具もＺ軸方向に移動して印鑑材料を切削（彫刻）する。このようにして、作業者はプラテン２０９上彫刻部分にポインタ２１３を当接させながら、Ｘ−Ｙ軸平面に沿って移動させると、彫刻加工機１のエンドミル工具もＸ−Ｙ軸平面に沿ってに移動して印鑑材料を切削（彫刻）する。また、ポインタ２１３の先端に描画機能を持たせ、ポインタ２１３が当接した際の軌跡をプラテン２０９上に表示するようにして、作業者に切削終了箇所を示す。さらにＰＣ６の表示画面上には、彫刻部分が白、（未彫刻部分が赤）で表示される。
【００３１】
したがって、作業者はプラテン２０９上で印鑑のデザインをポインタ２１３でなぞる操作を行うだけで、切削終了箇所を認識しながら印鑑を彫刻することができる。また、その彫刻の結果をＰＣ６の表示画面で確認することができる。
【００３２】
図５は信号伝達制御装置３の構成例を示す。手動制御信号入力装置から送られた移動量検出信号の要素である移動量検出信号（X軸）３０１と移動量検出信号（X軸）３０２はそれぞれ移動量検出信号読取要素（X軸）３０３および移動量検出信号読取要素（Y軸）３０４で読み取られ、移動量信号（X軸）３０５と移動量信号（Y軸）３０６に変換された後、スケーリング要素（X軸）３０７とスケーリング要素（X軸）３０８に伝達される。
【００３３】
移動量検出信号がパルス列で与えられる場合、移動量検出信号読取装置はパルスカウンタで構成される。２つのスケーリング要素３０７と３０８は、手動制御信号入力装置のポインタの移動量が、あらかじめ設定された率で縮小された彫刻加工機の運動に反映されるように移動量信号を変換し、ステージ制御信号３０９と３１０を出力する。例えば縮小率を1/10、ポインタの移動量が50mm、移動量検出信号の分解能が10μm/単位のとき、移動量検出信号は5000単位となる。ステージ制御信号の分解能が2μm/単位であるとき、ステージ制御信号としては5mmの移動に相当する制御信号を発生すべきであるから、ステージ制御信号としては5000（単位）×10（μm/単位）÷2（μm/単位）×１／10（縮小率）=2500単位を発生するように働く。
【００３４】
ステージ制御信号３０９と３１０はステージ駆動要素３１１と３１２に入力され、ステージ駆動要素はX軸とY軸のステージ駆動信号３１３と３１４を発生する。
【００３５】
一方、電気的なポインタ上下信号はポインタ上下信号読取要素３１６に入力され、論理信号であるポインタ上下論理信号３１７に変換される。Z軸位置指令発生要素３１８はポインタ上下論理信号３１７を受け、その論理値に従って、出力であるステージ制御信号（Z軸）３２２を、あらかじめ格納してあるZ軸上位置設定値３２０とZ軸下位置設定値３２１との間で切り替える。
【００３６】
すなわち、ポインタが押し下げられた位置では工具が切削を行う位置まで被削材に接近するように、また、ポインタが上がった位置では工具が切削を行わない位置までZ軸ステージが退避するようにZ軸ステージを制御するようなステージ制御信号（Z軸）３２２を出力する。ステージ制御信号（Z軸）３２２はステージ駆動要素（Z軸）３２３に入力され、指令された移動量だけZ軸ステージを変位させるようにステージ駆動信号（Z軸）をZ軸ステージに送出する。
【００３７】
以上述べた信号伝達制御装置３の信号処理機能はマイクロプロセッサおよび電子回路によって実現される。上記信号処理は、作業者によって操作される手動信号入力装置のポインタの運動が、実質的に実時間的に彫刻加工機の運動に反映されるように十分短い周期で繰り返し行われる。
【００３８】
ＰＣ６側の表示装置の操作画面および印鑑の彫刻状態を示す表示を図７に示す。図７において、
表示画面１０００上の１００１が印鑑の彫刻状態を表示する領域である。１００２はエンドミル工具の径の値を入力する入力欄である。領域１００１上で彫刻部分を示す箇所を塗りつぶすペン（未表示）の径が、入力欄１００２でキーボードにより入力された値に設定される。
【００３９】
１００３は、ポインタ２１３のＸ−Ｙ座標を表示する欄である。
【００４０】
ＰＣ６のＣＰＵは図８の処理プログラムを一定周期で実行して、（制御信号）入力装置２から入力インターフェースを介して入力される移動量検出信号４（パルス信号）を入力すると、そのパルス信号を計数することによりＸ座標値、Ｙ座標値に変換する（ステップＳ１０→Ｓ２０）。変換した座標値がディスプレイの表示画面の表示欄１００３に表示される。
【００４１】
次にＰＣ６のＣＰＵは移動量検出信号４の中のＺ軸方向のオン／オフ信号を判定する。
【００４２】
信号がオンを示す場合（ポインタがプラテンに当接する場合、ステップＳ３０の判定がＹＥＳ）には塗りつぶしのペンの色を白（図７ではハッチング部分）に設定する。続いて、ＰＣ６内の印鑑表示用イメージを記憶するイメージメモリの、ステップＳ２０で取得したＸ，Ｙ座標値に対応する箇所（画素）を中心にして、入力欄１００２から入力された値のペンの径で塗りつぶす（ステップＳ４０→Ｓ５０）。塗りつぶし処理自体は周知であり、詳細な説明を要しないであろう。
【００４３】
以上の操作を繰り返すと、作業者がポインタ２１３をプラテン２０９に当接させて移動した軌跡と同じ軌跡で表示領域１００１上の印鑑画像が白色で塗りつぶされていく。
【００４４】
一方、信号がオフの場合（ステップＳ３０の判定処理がＮＯ）の場合には、ポインタ２１３はプラテン２０９に当接していないので、手順はリターンへと進み、表示領域１００１上の白色での塗りつぶし、すなわち、彫刻部分の表示処理は行われない。
【００４５】
（第１の実施形態の改良形態）
１）上述の実施形態ではポインタ２１３のプラテン２０９に当接する先端部はとがった形状にしている（図４に示すポインタ２１３の先端２１３ｂ参照）しかしながら、エンドミル工具を用いた場合、工具の直径に相当する領域が彫刻されるため、ポインタで指示した移動軌跡を中心線とした工具径と等しい幅の描画軌跡が彫刻領域となることから、目的とする印鑑のデザインを実現するためには、プラテン上に記載された印鑑のデザインの輪郭に対し、工具径の１／２に相当する量を彫刻領域側にずらした軌跡をもって、加工指示を与える必要がある。すなわち工具径補正を考慮して、ポインタを操作することが要求される。そこで、ポインタ２１３の先端部を彫刻加工機１のエンドミル工具の直径に相当する太さの円形にする。例えば、工具径０．８ｍｍで、ポインタ２１３の移動量を１／１０に縮小して彫刻加工機１のＸ軸ステージ機構１０４及びＹ軸ステージ機構１０５を駆動する場合、ポインタ２１３の先端を工具径の１０倍の直径８ｍｍの円筒形にする。これにより、操作者は上記ポインタ先端の外周と印鑑デザインの輪郭が一致するように意識して操作するだけで、工具径補正を意識することなく目的とするデザインの印鑑を製作することが出来る。またポインタ２１３が当接した際の描画軌跡を、ポインタ２１３の先端の直径と同じ線幅でプラテン２０９上に表示することで、切削終了箇所を正確に認識することが出来る。
【００４６】
２）ポインタ２１３の運動範囲を制限する機構を用意してもよい。図３において、開口部（不図示）を持つテンプレート２１０をプラテン２０９の上面に装着する。テンプレート２１０の開口部は印鑑の外形に相当する範囲よりも小さく設定されている。ポインタがテンプレートの開口部内を運動する限りにおいては、エンドミル工具が印鑑の外周を削り込む事がない。
【００４７】
３）プラテンの一例
図６に示すように、あらかじめデザインした印章を描いたシート２２１を、ポインタが運動するプラテン２０９上に装着し、作業者は彫刻すべき部位を確認しながらポインタを操作する。シート２２１には印鑑の外形示す円２２３があらかじめ印刷されており、作業者はまずシート２２１上に成形すべき印章模様を描く。削り残すべき部分２２２は塗りつぶす。次にシート２２１をプラテン上にセットし、システムを運転状態にしたのち、作業者はシートの塗りつぶされていない部分２２４をポインタ先端が塗りつぶしていくようにポインタを操作する。
【００４８】
４）第１の実施形態ではポインタ２１３の移動量をパルス信号の個数で表すことによりポインタ２１３の座標位置を彫刻加工機１およびＰＣ６に通知しているが、これに限定される必要はなく、座標値を示すデジタル信号を直接、入力装置２から出力してもよい。
【００４９】
（第２の実施形態）
第１の実施形態のプラテン２０９の代わりに押圧式のタッチパネルを使用する第２の実施形態を図９を使用して説明する。タッチパネル２０００はポインタ２１３などの物体により表示画面の特定位置が所定の圧力で押圧すると、その座標位置を示す信号を発生するとともに、外部、たとえば、パソコン等の画像処理装置から送られるイメージを表示画面に表示する入出力装置である。この場合においても、ポインタ２１３の先端部またはタッチパネル上に表示されるポインタの形状を、彫刻加工機１のエンドミル工具の直径に相当する太さの円形を作業者に認識できる形状にすべきである。
【００５０】
このようなタッチパネル２０００を使用すると、初期状態では、タッチパネル２０００の表示画面に完成させたい印鑑の彫刻イメージを表示させる。このイメージはＰＣ６で作成し、タッチパネル２０００に与える。
【００５１】
ポインタ２１３を使用して作業者が、切削部分を押圧すると、押圧部分の座標値がＰＣ６に送られる。ＰＣ６では、予めすべてが未彫刻を示す赤色の印鑑画像をＰＣ側のディスプレイの表示画面に表示しておき、座標値が送られるごとに座標値の示す印鑑画像上の位置を白色で塗りつぶす。また、印鑑彫刻機は信号制御装置２を介してタッチパネル２０００からＸ座標値およびＹ座標値を受け取った場合に、その座標値が示す印鑑材料の箇所をエンドミル工具により切削する。
【００５２】
切削終了箇所をタッチパネル上に彫刻イメージと異なる色で示すことで、作業者はＰＣ側のディスプレイを見ることなく加工状況を把握し、次に加工すべき領域を認識できる。またタッチパネル上に表示された印鑑の彫刻イメージの外側を不感領域に設定することで、第1の実施形態のテンプレートと同様の機能が得られる。さらに、あらかじめ彫刻イメージの輪郭線をＰＣ側で認識し、非切削領域の座標を不感帯に設定することで、作業者の誤操作による加工の失敗を未然に防ぐことも出来る。
【００５３】
以上説明した実施形態によれば、プログラミングや情報処理や工作機械の操作等の専門知識を必要とせず、作者自身が簡便な方法で加工機の運動を制御し、制作意図が加工結果に直接反映される迅速かつ簡便で、かつただ１個の制作に適した加工手段が提供される。また、ポインタの運動と彫刻加工機の運動との間の縮小率を適当に設定することによって、作業者はポインタの細かな操作を強いられることなく、微細な彫刻加工を実現できる。
【００５４】
作業者のポインタ操作は完全に幾何学的運動とはならないので、不定形状が多く含まれた印章を制作できる。その結果、制作された印章は唯一性が高く、複製が困難なものとなる。
【００５５】
作業者自身が加工工程に参加することによって、製品を所有する満足感が充足される。一般に専門技術者以外による操作を想定していない工作機械と専門技術者でない作業者が直に触れ合うことによって作業者に親しみと憧憬を与え、機械加工専門技術者の養成に貢献する。
【００５６】
作業者はすでに彫刻加工の済んだ部位とこれから彫刻すべき部位を識別することができ、ポインタを適切に制御することが可能となる。ペンの太さを工具の直径に相当する値に設定することによって、作業者は削り残された部位を正確に把握することができる。
【００５７】
ポインタがテンプレートの開口部内を運動する限りにおいては、エンドミル工具が印鑑の外周を削り込む事がない。したがって印鑑の周囲を一定の幅で確実に削り残すことが容易にできる。または、あらかじめ決められた印章模様の外形形状を削りだすことが容易にできる。
【００５８】
作業者は描くべき工具の軌跡を目で確認しながら正確にポインタを操作し、作業者は意図した印章模様を削りだすことができる。第２の発明と組み合わせることによって、作業者はより正確にポインタを操作することができる。
【００５９】
手動制御信号入力装置のポインタの動きをできるだけ滑らかに、遅滞なく彫刻加工機の運動に伝達させるためには、手動制御信号入力装置の移動量検出装置には相対変位パルス列出力型のリニアスケールまたはワイヤ伸張式リニアエンコーダを用い、その出力パルスを直接にステージ駆動要素に入力できるように、あらかじめ移動量検出装置の分解能、ステージ駆動要素の指令分解能および手動制御信号入力装置と彫刻加工機の間の縮小率を設定しておくのが良い。次善の策として、計算機の信号伝達処理速度の制限による影響を避けるために、デジタル信号処理装置（DSP）を用いて、十分に高速に信号伝達処理を行うのが良い。
【００６０】
彫刻加工機は、専門技術者でない作業者が彫刻加工の進行を聴覚によって体感しながら作業を進められるように必要最小限の寸法と動力を持ったものとし、作業者のごく近傍に設置されるべきである。これによってポインタの急な操作によって加工負荷が過大になったり、工具や被削材が破損したりすることを防止することができると同時に、作業者に威圧感を与えることなく作業が進められる。
【００６１】
本システムは印鑑製造業において、複製の困難な印章の迅速かつ簡便な制作に利用できる。顧客に直接システムの操作をさせることで、従来にない顧客参加型の加工ビジネスをはじめられる。
【００６２】
工学教育において、本システムを導入すれば、プログラミングや工作機械の操作といった難易度の高い専門知識を身に付ける以前に、機械加工に触れる機会を青少年に与えることができる。
【００６３】
通常の印鑑の製造以外にも、印鑑よりもさらに微小な凹凸模様を機械加工する場合にもプログラミングや機械操作をすることなく適用が可能である。
【００６４】
第１の実施形態においてポインタの先端部にエンドミル工具径を縮小比で除した径の描画要素、たとえば、マジックペン等を脱着可能に取り付ける機構を設け、マジックペンがプラテンに当接したときに、彫刻加工機のエンドミル工具が切削を行うようにすると、作業者はプラテン上の印鑑デザイン上のマジックペンにより塗りつぶされた箇所が切削終了箇所であると識別することができる。また、磁石が接触した領域の色を変化させるタイプのホワイトボード等を利用すると、プラテン上の印鑑デザインを容易に再利用することが出来る。ここで、描画要素は本発明におけるポインタの一部と解釈すべきである。
【００６５】
第２の実施形態では、タッチパネル上のポインタが当接した箇所の表示を異なる色（切削終了を示す色）に変えればよい。このための色を変更する処理はタッチパネルに接続するＰＣにより行えばよい。
【図面の簡単な説明】
【００６６】
【図１】本発明第１の実施形態のシステム構成を示すブロック図である。
【図２】彫刻加工機の構成例を示す斜視図である。
【図３】（手動制御信号）入力装置の概観を示す平面図である。
【図４】（ａ）、（ｂ）はポインタ保持機構の詳細図
【図５】信号伝達制御装置の回路構成を示すブロック図である。
【図６】印章デザインを描いたシートを示す説明図である。
【図７】ＰＣの表示画面の表示内容を示す説明図である。
【図８】ＰＣの処理内容を示すフローチャートである。
【図９】本発明第２の実施形態の概観を示す側面図である。
【符号の説明】
【００６７】
１  彫刻加工機
２  手動制御信号入力装置
３  信号伝達制御装置
４  移動量検出信号
５  駆動信号
６  ＰＣ
１０１  被削材
１０２  エンドミル工具
１０３  主軸
１０４  X軸ステージ機構
１０５  Y軸ステージ機構
１０６  Z軸ステージ機構
１０７  加工機のフレーム
１０８  材料クランプ
２０１  X軸スライダ機構
２０２  X軸案内
２０３  Y軸スライダ機構
２０４  Y軸案内
２０５  ポインタ支持機構
２０６  ロッカーアーム
２０７  ヒンジ
２０８  接点スイッチ
２０９  プラテン
２１０  テンプレート
２１１  X軸移動量検出装置
２１２  Y軸移動量検出装置
２１３  ポインタ
２１４  取付部位
２２１  シート
２２２  削り残すべき部分
２２３  印鑑の外形を示す線
２２４  塗りつぶされていない部分
３０１  移動量検出信号（X軸）
３０２  移動量検出信号（Y軸）
３０３  移動量検出信号読取要素（X軸）
３０４  移動量検出信号読取要素（Y軸）
３０５  移動量信号（X軸）
３０６  移動量信号（Y軸）
３０７  スケーリング要素（X軸）
３０８  スケーリング要素（Y軸）
３０９  ステージ制御信号（X軸）
３１０  ステージ制御信号（Y軸）
３１１  ステージ駆動要素（X軸）
３１２  ステージ駆動要素（Y軸）
３１３  ステージ駆動信号（X軸）
３１４  ステージ駆動信号（Y軸）
３１６  ポインタ上下信号読取要素
３１７  ポインタ上下論理信号
３１８  Z軸位置指令発生要素
３１９  信号切り替え要素
３２０  Z軸上位置設定値
３２１  Z軸下位置設定値
３２２  ステージ制御信号（Z軸）
３２３  ステージ駆動要素（Z軸）
３２４  ステージ駆動信号（Z軸）
【図１】
2005059589.tif 000003
【図２】
2005059589.tif 000004
【図３】
2005059589.tif 000005
【図４】
2005059589.tif 000006
【図５】
2005059589.tif 000007
【図６】
2005059589.tif 000008
【図７】
2005059589.tif 000009
【図８】
2005059589.tif 000010
【図９】
2005059589.tif 000011